(57)【要約】【課題】顔を上向きにすることなく、点眼液の目への注入を可能とした点眼器及び点眼器用アダプターを提供する。【解決手段】点眼器用アダプター１２はボディ１６を有し、ボディ１６の装着孔１６０２に点眼器１４が装着される。ボディ１６には、噴出口１８から点眼液を噴出させる噴出部２０が設けられている。噴出部２０は、点眼液が移送される液路２２と、指による押圧操作により液路２２内の圧力を高める圧力上昇部２４と、液路２２に配設された一方向弁２６などを含んで構成されている。圧力上昇部２４は、拡縮部２８と、この拡縮部２８と液路２２とを接続する連通路１６１０とで構成されている。【選択図】        図１
2004148052.tif 000002
【特許請求の範囲】
【請求項１】
点眼液を収容する容器と、前記点眼液を噴出する噴出部とを備える点眼器であって、
前記噴出部は、前記点眼液が移送される液路と、指による押圧操作により前記液路内の圧力を高める圧力上昇部と、前記液路に配設された一方向弁とを有し、
前記液路の長手方向の一端は、前記容器の内部に連通する連通口として形成され、液路の長手方向の他端は点眼液が噴出される噴出口として形成され、
前記圧力上昇部は、前記液路における前記連通口と噴出口の間における前記液路箇所に連通し、
前記一方向弁は、前記連通口と、前記液路箇所との間に設けられ、
前記一方向弁は、前記液路内において点眼液の前記連通口から噴出口方向への移動のみを許容するように構成され、
前記圧力上昇部を押圧操作することで点眼液が前記噴出口から噴出されるように構成されている、
ことを特徴とする点眼器。
【請求項２】
点眼器の液滴下口に装着される点眼器用アダプターであって、
前記アダプターは、前記液滴下口に装着されるボディを有し、
前記ボディには、前記点眼液を噴出する噴出部が設けられ、
前記噴出部は、前記点眼液が移送される液路と、指による押圧操作により前記液路内の圧力を高める圧力上昇部と、前記液路に配設された一方向弁とを有し、
前記液路の長手方向の一端は、前記液滴下口に連通する連通口として形成され、液路の長手方向の他端は点眼液が噴出される噴出口として形成され、
前記圧力上昇部は、前記液路における前記連通口と噴出口の間における前記液路箇所に連通し、
前記一方向弁は、前記連通口と、前記液路箇所との間に設けられ、
前記一方向弁は、前記液路内において点眼液の前記連通口から噴出口方向への移動のみを許容するように構成され、
前記圧力上昇部を押圧操作することで点眼液が前記噴出口から噴出されるように構成されている、
ことを特徴とする点眼器用アダプター。
【請求項３】
前記圧力上昇部は、指による押圧操作により体積が減少し指による押圧操作を解除すると体積が元に復帰する拡縮部と、前記拡縮部に連通すると共に前記液路に連通する連通路を有することを特徴とする請求項１記載の点眼器または請求項２記載の点眼器用アダプター。
【請求項４】
前記ボディは、透明な材料により形成されていることを特徴とする請求項２記載の点眼器用アダプター。
【発明の詳細な説明】
【０００１】
【発明の属する技術分野】
本発明は点眼器（目薬容器）および点眼器（目薬容器）用アダプターに関する。
【０００２】
【従来の技術】
従来の点眼器は、顔を上向きにし、上方から点眼液の滴を落下させることで、目に点眼液を注入するようにしている。
【０００３】
【発明が解決しようとする課題】
しかしながら、顔を上向きにすることができない高齢者や身体障害者にあっては、点眼液の目への注入を簡単に行なうことができない不具合があった。
本発明は前記事情を鑑み案出されたものであって、本発明の目的は、顔を上向きにすることなく、点眼液の目への注入を可能とした点眼器及び点眼器用アダプターを提供することにある。
【０００４】
【課題を解決するための手段】
前記目的を達成するため本発明は、点眼液を収容する容器と、前記点眼液を噴出する噴出部とを備える点眼器であって、前記噴出部は、前記点眼液が移送される液路と、指による押圧操作により前記液路内の圧力を高める圧力上昇部と、前記液路に配設された一方向弁とを有し、前記液路の長手方向の一端は、前記容器の内部に連通する連通口として形成され、液路の長手方向の他端は点眼液が噴出される噴出口として形成され、前記圧力上昇部は、前記液路における前記連通口と噴出口の間における前記液路箇所に連通し、前記一方向弁は、前記連通口と、前記液路箇所との間に設けられ、前記一方向弁は、前記液路内において点眼液の前記連通口から噴出口方向への移動のみを許容するように構成され、前記圧力上昇部を押圧操作することで点眼液が前記噴出口から噴出されるように構成されていることを特徴とする。
また、本発明は、点眼器の液滴下口に装着される点眼器用アダプターであって、前記アダプターは、前記液滴下口に装着されるボディを有し、前記ボディには、前記点眼液を噴出する噴出部が設けられ、前記噴出部は、前記点眼液が移送される液路と、指による押圧操作により前記液路内の圧力を高める圧力上昇部と、前記液路に配設された一方向弁とを有し、前記液路の長手方向の一端は、前記液滴下口に連通する連通口として形成され、液路の長手方向の他端は点眼液が噴出される噴出口として形成され、前記圧力上昇部は、前記液路における前記連通口と噴出口の間における前記液路箇所に連通し、前記一方向弁は、前記連通口と、前記液路箇所との間に設けられ、前記一方向弁は、前記液路内において点眼液の前記連通口から噴出口方向への移動のみを許容するように構成され、前記圧力上昇部を押圧操作することで点眼液が前記噴出口から噴出されるように構成されていることを特徴とする。
【０００５】
本発明によれば、圧力上昇部を押圧操作することで点眼液が噴出されるので、顔を前に向けた状態でも、下に向けた状態でも目に点眼液を注入することができる。
【０００６】
【発明の実施の形態】
以下、本発明の点眼器用アダプターの実施の形態を添付図面に従って説明する。
図１（Ａ）は点眼器に装着された点眼器用アダプターの平面図、（Ｂ）は同正面図を示す。
点眼器用アダプター１２は、点眼器１４に装着されるものである。
前記点眼器１４は合成樹脂製であり、点眼器１４は、図１０に示すように、点眼液を収容する円筒状の容器１４０２と、前記容器１４０２の長手方向の端部に形成された膨出部１４０４とを備え、容器１４０２は指による押圧操作により内側に変形し、押圧操作を解除すると弾性により元の形状に復帰するように形成されている。
前記膨出部１４０４には、不図示のキャップ装着用の雄ねじ１４０６が設けられ、膨出部１４０６の先端には点眼液を滴下するための液滴下口１４０８が開口されている。
【０００７】
図１に示すように、前記点眼器用アダプター１２はボディ１６を有し、ボディ１６は硬質の合成樹脂で形成されている。
前記ボディ１６には、噴出口１８から点眼液を噴出させる噴出部２０が設けられ、前記噴出部２０は、点眼液が移送される液路２２と、指による押圧操作により前記液路２２内の圧力を高める圧力上昇部２４と、前記液路２２に配設された一方向弁２６などを含んで構成されている。
【０００８】
図２（Ａ）はボディの平面図、（Ｂ）はボディの正面図を示す。
前記ボディ１６の長手方向の一方の端部には、点眼器１４の液滴下口１４０８に装着される装着孔１６０２が設けられ、装着孔１６０２には点眼器１４の雄ねじ１４０６に螺合可能な雌ねじ１６０４が形成されている。
前記装着孔１６０２の奥部には、点眼器１４の液滴下口１４０８部分の外径に対応した寸法の小径部１６０６が形成されている。
前記液路２２は、前記小径部１６０６と同軸上で小径部１６０６の奥部からボディ１６の内部を延在しており、液路２２はボディ１６の長手方向の他方の端部に開口している。
また、前記小径部１６０６寄りの液路２２箇所に直交して交わるように、ボディ１６の対向する両側面からそれぞれ連通路１６１０が形成されている。
また、前記ボディ１６の長手方向の他方の端部には雄ねじ１６１２が形成され、この雄ねじ１６１２に螺合させて図５に示すヘッド１６１４が取着され、前記噴出口１８は、このヘッド１６１４に形成された通路１６１６の端部に設けられ、前記通路１６１６は前記液路２２に連通している。ヘッド１６１４は例えばステンレス製で、非使用時には、ヘッド１６１４に不図示のキャップが装着される。なお、ヘッド１６１４はボディ１６に一体に形成するようにしてもよい。
本実施の形態では、液路２２は１．５ｍｍの直径で形成され、連通路１６１０は０．５ｍｍの直径で形成され、通路１６１６は０．３ｍｍの直径で形成されている。すなわち、連通路１６１０は点眼液が入りにくいように液路２２の１／３以下の直径の小径孔として形成され、通路１６１６は点眼液が重力に逆らって直線的に噴出されるように液路２２の１／５以下の直径の小径孔として形成されている。
【０００９】
図３、図４は、圧力上昇部および一方向弁部分の断面図で、図３は点眼器内の点眼液を液路に注入している状態を示し、図４は拡縮部を摘まんだ状態を示している。
前記一方向弁２６は、図３、図４に示すように、前記小径部１６０６の奥部に配設されている。
前記一方向弁２６は、環板状のワッシャ２６０２、弁体２６０４、環板状のワッシャ２６０６により構成されている。
前記ワッシャ２６０２は、図６に示すように、剛性を有する例えばステンレスなどにより形成されている。
前記ワッシャ２６０６は、図８に示すように、弾性を有する例えばゴムなどにより形成されている。
前記ワッシャ２６０６の孔径は、ワッシャ２６０２の孔径よりも小さく形成されている。
なお、ワッシャ２６０６の外径を小径部１６０６の内径に対して幾分大きく設定することで、一方向弁２６の軸方向の動きは固定されるが、小径部１６０６の奥部に内径を大きくした大径部を設け、この大径部に一方向弁２６を装入することで一方向弁２６の軸方向の動きを固定させるなど、一方向弁２６の軸方向の動きを固定するための手段を設けるようにしてもよい。
【００１０】
前記弁体２６０４はゴムなどのような弾性材製で、図７（Ａ）、（Ｂ）に示すように、円板の一側を切り欠いた形状で形成され、中央に、前記ワッシャ２６０２の孔径よりも小さく、かつ、ワッシャ２６０６の孔径よりも大きな寸法の幅の片体２６０４Ａが両側のスリット２６０４Ｂを介して形成されており、片体２６０４Ａはその上部を支点として弁体２６０４の厚さ方向に揺動可能に形成されている。
そして、前記小径部１６０６の奥部に、ワッシャ２６０２、弁体２６０４、ワッシャ２６０６が組込まれて一方向弁２６が構成され、一方向弁２６は、図３に示すように、液滴下口１４０８側の圧力により片体２６０４Ａがワッシャ２６０２の孔内へ揺動し、点眼液の液滴下口１４０８から液路２２への移動を許容し、かつ、図４に示すように、片体２６０４Ａ自身の弾性により、或いは、液路２２内の圧力により片体２６０４Ａがワッシャ２６０６の孔を塞ぎ、点眼液の液路２２から液滴下口１４０８側への移動を阻止するように構成されている。
なお、本実施の形態では、特許請求の範囲の「液路」は、液路２２と小径部１６０６で構成されており、また、特許請求の範囲の「連通口」は、小径部１６０６に相当している。
【００１１】
前記圧力上昇部２４は、前記連通路１６１０と拡縮部２８とで構成されている。
前記拡縮部２８は、半球状に突出する薄肉の板材２８０２が、図９（Ａ）、（Ｂ）に示すワッシャ３０を介してボディ１６の両側面に夫々ねじ３２（図１参照）で取着されることで構成され、図９（Ａ）において符号３００２はねじ３２の挿通孔を示し、図２において符号１６２０はねじ３２に螺合する雌ねじを示している。
前記板材２８０２は、ゴムなどのような弾性を有する部材により形成され、半球形状部分の内側に前記連通路１６１０の開口が位置するように配設されている。
【００１２】
次に、点眼器用アダプター１２の使用方法について説明する。
点眼器１４を雄ねじ１４０４および雌ねじ１６０４を介してボディ１６の装着孔１６０２に装着する。
この装着した状態で、図３、図４に示すように、液滴下口１４０８を有する点眼器１４の先端部分がワッシャ２６０６の端面に弾接する。
次に、点眼器１４の容器１４０２を摘まむ。
これにより、図３に示すように、容器１４０２内の点眼液は、片体２６０４Ａをワッシャ２６０２の孔内で揺動させ、ワッシャ２６０６、２６０２の孔を通って液路２２内に至る。この場合、点眼液を連通路１６１０よりも先の液路２２部分まで注入する。尚、容器１４０２の摘みを解除すると、片体２６０４Ａは弾性復帰し、ワッシャ２６０６の孔を塞ぐ。
【００１３】
次に、図４に示すように、両拡縮部２８を指により摘まむ。すなわち、両側の拡縮部２８を押圧操作する。
この押圧操作により、拡縮部２８が内側に弾性変形し、拡縮部２８内の空気が連通路１６１０から液路２２に圧送され、液路２２内の圧力が高められる。
この液路２２内の圧力の急上昇により、片体２６０４Ａによるワッシャ２６０６の孔を塞いだ状態が維持され、一方、液路２２内の点眼液は、あたかも水鉄砲から水が噴出される如く、噴出口１８から極めて細い線状となって通路１６１６の延長線上で直線的に噴出される。
したがって、点眼液が、重力に逆らって直線状に噴出されるので、使用者が顔を前に向けた状態でも、あるいは、顔を下に向けた状態でも、噴出口１８を目に向け両拡縮部２８を指により摘まむといった簡単な操作により点眼液を目に確実に注入することができる。
また、両拡縮部２８を摘まむことで、連通路１６１０と噴出口１８との間における液路２２部分に収容された点眼液が噴出されるので、拡縮部２８の容積を適宜設定することで、或いは、連通路１６１０と噴出口１８との間における液路２２部分の容積を適宜設定することで、両拡縮部２８を摘まんだ際に噴出される点眼液の量を所望の量に容易に設定することができる。
【００１４】
なお、ボディ１６を透明な材料、例えば、透明な合成樹脂で形成しておくと、液路２２内における点眼液の収容状態が外から視認でき、点眼器の使い勝手を向上する上で有利となる。
また、前記の実施の形態では、拡縮部２８の押圧操作により、点眼液を線状に噴出させた場合について説明したが、噴出口１８（通路１６１６）の形状を変えることで点眼液を霧状にして噴出させるようにしてもよい。
また、連通路１６１０に、拡縮部２８から液路２２方向への空気の移動を許容し、かつ、液路２２から拡縮部２８方向への空気及び液体の移動を阻止する一方向弁を設け、連通路１６１０に点眼液が入らないようにしてもよい。この場合、摘まむ操作を解除した際に拡縮部２８が瞬時に弾性復帰できるように、指により摘ままれる拡縮部２８部分に孔をあけておいてもよい。
また、前記の実施の形態では、本発明を点眼器用アダプタ−１２に適用した場合について説明したが、本発明は点眼器にも無論適用される。この場合には、点眼器に、前記点眼器用アダプタ−１２の主要部をなす噴出部２０を設ければよく、より詳細には、点眼器に、液路２２と圧力上昇部２４と一方向弁２６とを有する噴出部２０を設ければよい。
【００１５】
【発明の効果】
以上の説明で明らかなように本発明の点眼器および点眼器用アダプタによれば、顔を上向きにすることなく点眼液の目への注入を確実に行なえ、顔を上向きにすることができない高齢者や身体障害者においても点眼液の目への注入を簡単に行なうことが可能となる。
【図面の簡単な説明】
【図１】（Ａ）は点眼器に装着された点眼器用アダプターの平面図、（Ｂ）は同正面図である。
【図２】（Ａ）はボディの平面図、（Ｂ）はボディの正面図である。
【図３】圧力上昇部および一方向弁部分の断面図で、点眼器内の点眼液を液路に注入している状態の図である。
【図４】圧力上昇部および一方向弁部分の断面図で、拡縮部を摘まんだ状態の図である。
【図５】ヘッドの断面図である。
【図６】ワッシャの断面図である。
【図７】（Ａ）は弁体の正面図、（Ｂ）は弁体の側面図である。
【図８】ワッシャの断面図である。
【図９】（Ａ）はワッシャの正面図、（Ｂ）はワッシャの断面図である。
【図１０】点眼器の斜視図である。
【符号の説明】
１２  点眼器用アダプター
１４  点眼器
１６  ボディ
１８  噴出口
２２  液路
２４  圧力上昇部
２６  一方向弁
【図１】
2004148052.tif 000003
【図２】
2004148052.tif 000004
【図３】
2004148052.tif 000005
【図４】
2004148052.tif 000006
【図５】
2004148052.tif 000007
【図６】
2004148052.tif 000008
【図７】
2004148052.tif 000009
【図８】
2004148052.tif 000010
【図９】
2004148052.tif 000011
【図１０】
2004148052.tif 000012